(57)【要約】【課題】  装置の故障を防止し、隣接したボタンに触れてしまっても、どのボタンが正しく入力できたのかを正確に認識することができる携帯型電話装置を提供する。【解決手段】  箱形を成し上方に開口する開口部を形成する筐体と、筐体に設置されデータを電波により送受信する電波送受信手段と、筐体に設置され上面が開口部から突出し下面に下方へ突出するアームを備え押圧することにより下方へ移動する入力キーと、入力キーの下方に固定され入力キーの押圧により指示信号を出力する信号出力手段と、信号出力手段を固定する第１の基板と、入力キーが下方へ移動することによりアームの下端が当接する第２の基板と、信号出力手段が出力する信号に応じて電波送受信手段を制御する制御手段と、信号出力手段から指示信号が出力されたとき入力キーが押圧される方向に対し垂直な方向に前記第２の基板を振動させる振動発生手段とを備える。【選択図】      図３
2005210678.tif 000002
【特許請求の範囲】
【請求項１】
電波を送受信することによってデータを交信する携帯型電話装置において、箱形を成し上方に開口する開口部を形成する筐体と、前記筐体に設置されデータを電波により送受信する電波送受信手段と、前記筐体に設置され上面が前記開口部から突出し下面に下方へ突出するアームを備え押圧することにより下方へ移動する入力キーと、前記入力キーの下方に固定され前記入力キーの押圧により指示信号を出力する信号出力手段と、前記信号出力手段を固定する第１の基板と、前記入力キーが下方へ移動することにより前記アームの下端が当接する第２の基板と、前記信号出力手段が出力する信号に応じて前記電波送受信手段を制御する制御手段と、前記信号出力手段から前記指示信号が出力されたとき前記入力キーが押圧される方向に対し垂直な方向に前記第２の基板を振動させる振動発生手段とを備えることを特徴とする携帯型電話装置。
【請求項２】
請求項１の携帯型電話装置において、予め複数の電話番号データを記憶する記憶部と、電話番号データを表示する表示部とを備え、
前記制御部は、前記信号出力手段から指示信号が出力された場合前記記憶部に記憶された複数の電話番号データを順に変更して前記表示部に表示するよう制御し、前記振動発生手段は、前記制御手段が前記表示部に表示させる電話番号データを変更する毎に前記入力キーが押圧される方向に対し垂直な方向に前記第２の基板を振動させることを特徴とする携帯型電話装置。
【請求項３】
電波を送受信することによってデータを交信する携帯型電話装置において、箱形を成し上方に開口する開口部を形成する筐体と、前記筐体に設置されデータを電波により送受信する電波送受信手段と、前記筐体に設置され上面が前記開口部から突出し下面に下方へ突出するアームを備え押圧することにより下方へ移動する入力キーと、前記入力キーの下方に固定され前記入力キーの押圧により予め割り当てられた番号を示す番号信号を出力する複数の信号出力手段と、前記信号出力手段を固定する第１の基板と、前記入力キーが下方へ移動することにより前記アームの下端が当接する第２の基板と、前記信号出力手段が出力する番号信号に応じて前記電波送受信手段を制御する制御手段と、前記信号出力手段から番号信号が出力されたとき前記入力キーが押圧される方向に対し垂直な方向に前記第２の基板を振動させる第１の振動発生手段と、送信する電話番号の桁数を設定する設定部と、交信の開始を指示する交信指示信号を出力する交信指示キーと、前記筐体の背面に設置されるパネルと、前記入力キーが押圧される方向に対し垂直な方向に前記パネルを振動させる第２の振動発生手段とを備え、
前記制御手段は、前記信号出力手段から出力された番号信号の桁数を検知し、前記信号出力手段から出力された番号信号の桁数が前記設定部に設定した電話番号の桁数と異なる状態で前記交信指示キーから交信指示信号が出力されたとき前記パネルを振動させるよう前記第２の振動発生手段を制御することを特徴とする携帯型電話装置。
【発明の詳細な説明】
【技術分野】
【０００１】
本発明は、電波を送受信することによってデータの交信をする携帯型電話装置に関する。
【背景技術】
【０００２】
図６は、従来の携帯型電話装置を示すブロック図である。
携帯型電話装置１００は、電波送受信部２、再生部３、入力部４、第１の押圧部５、表示部６、第２の押圧部７、電源スイッチ９、電源部１０、記憶部１１、第３の押圧部２０及び制御部８００を備える。
【０００３】
第１の押圧部５は、複数の数字ボタンから成り、これらのボタンを押圧することにより、電話番号データを出力する。表示部６は、第１の押圧部５により入力した電話番号データを表示する。
【０００４】
記憶部１１は、複数の記憶領域を備えており、例えば、第１の記憶領域〜第ｎの記憶領域を備えている。それぞれの記憶領域には、予め、電話番号データが記憶されている。
【０００５】
第２の押圧部７は、１つのボタンから成り、このボタンを押圧することにより、記憶部１１に記憶されている電話番号データを表示部６が表示するよう指示する表示指示信号を出力する。
【０００６】
制御部８００は、第２の押圧部７から表示指示信号が出力されると、記憶部１１に記憶されている電話番号データの中から第１の記憶領域に記憶されている電話番号データを選択し、選択した電話番号データを表示部６が表示するよう制御する。
【０００７】
制御部８００は、第２の押圧部７から表示指示信号が３秒以上出力されると、選択する電話番号データを記憶部１１の第２の記憶領域に記憶されている電話番号データに変更する。更に、第２の押圧部７から表示指示信号が出力されている間、制御部８００は、１秒毎に記憶部１１の第３の記憶領域に記憶されている電話番号データ、第４の記憶領域に記憶されている電話番号データへと選択する電話番号データを変更する。表示部６は、制御部８００の変更に応じて表示する電話番号データを変更する。
【０００８】
第３の押圧部２０は、１つのボタンから成り、このボタンを押圧することにより、図示しない基地局と交信を行うよう指示する交信指示信号を出力する。制御部８００は、第３の押圧部２０から交信指示信号が出力されると、表示部６が表示する電話番号データを電波送受信部２が基地局へ送信するよう制御する。
【０００９】
電波送受信部２は、制御部８００の制御により、電話番号データを電波に変換し、基地局へ送信する。
【００１０】
基地局は、電波送受信部２からの電波を受信した後、他の電話装置又は端末装置との交信が可能となると、交信が可能となったことを示すデータ（交信開始データ）を電波に変換し、電波送受信部２へ送信する。また、基地局は、他の電話装置又は端末装置から携帯型電話装置１００との交信を希望する信号が入力されると、携帯型電話装置１００に対し交信を希望する交信希望データを電波に変換し、電波送受信部２へ送信する。
【００１１】
電波送受信部２は、基地局から交信開始データ及び交信希望データの電波を受信すると、交信が開始されたことを示す信号（交信開始信号）を制御部８００へ出力する。また、電波送受信部２は、交信が開始されたことを示す電波を基地局へ送信する。
【００１２】
基地局は、電波送受信部２からの交信が開始されたことを示す電波により、他の電話装置に対して、音声データを送受信する。基地局は、他の電話装置又は端末装置からの音声データを電波に変換し、電波送受信部２へ送信する。
【００１３】
電波送受信部２は、基地局から送信された電波を音声データに変換する。また、電波送受信部２は、後述する入力部４からの音声データを電波に変換し、基地局へ送信する。
【００１４】
再生部３は、制御部８を介して入力した電波送受信部２からの交信開始データ及び交信希望データにより、電波送受信部２が受信した音声データを音声信号に変換し、変換した音声信号を再生する。入力部４は、外部から音声信号が入力されると、入力された音声信号を音声データに変換し、電波送受信部２へ出力する。電波送受信部２は、入力部４からの音声データを電波に変換し、基地局へ送信する。
【００１５】
表示部６は、第１の押圧部５により入力した電話番号データを表示する。また、表示部６は、基地局からの交信希望データに基づいて、他の電話装置又は端末装置が交信を希望していることを表示する。
【００１６】
電源部１０は、乾電池又はリチウム電池から成り、電波送受信部２、再生部３、入力部４、第１の押圧部５、表示部６、第２の押圧部７、記憶部１１、第３の押圧部２０および制御部８００へ電力を供給する。
電源スイッチ９は、切替えスイッチから成り、切替え操作により、電源部１０が供給する電力のオン・オフを切替える。
【００１７】
図７は、従来の携帯型電話装置の断面図である。
携帯型電話装置１００は、筐体３０、ボス４００及び基板５２０を備える。筐体３０は、箱型を成し、上面に開口する複数の孔３０１が形成されている。
【００１８】
第１の押圧部５は、複数のボタン５０１、シャフト５０２及び入力スイッチ５０３を備える。第２の押圧部７は、ボタン７０１、シャフト７０２及び入力スイッチ７０３を備える。第３の押圧部２０は、ボタン２０１、シャフト２０２及び入力スイッチ２０３を備える。
【００１９】
ボタン５０１、ボタン７０１及びボタン２０１は、直方体を成し、それぞれ筐体３０の孔３０１より上方に突出している。シャフト５０２、シャフト７０２及びボタン２０１は、円筒形を成し、それぞれ上面がボタン５０１、ボタン７０１及びボタン２０１の下面に固着されている。入力スイッチ５０３、入力スイッチ７０３及び入力スイッチ２０３は、それぞれシャフト５０２、シャフト７０２及びシャフト２０２の下面に固定されている。
【００２０】
基板５２０は、薄い平板から成り、入力スイッチ５０３、入力スイッチ７０３及び入力スイッチ２０３を固定している。ボス４００は、円筒型を成し、筐体３０の底面に固着されている。ボス４００は、図示しないネジにより基板５２０を固定する。
【００２１】
入力スイッチ５０３、入力スイッチ７０３及び入力スイッチ２０３は、それぞれボタン５０１、ボタン７０１及びボタン２０１が下方に押されることにより、下方に移動し、押圧が解除されると押圧前の位置へ移動する。入力スイッチ５０３、入力スイッチ７０３及び入力スイッチ２０３は、ボタンが下方に押圧され、シャフトが予め定めた位置まで下方に移動したことを検知することによって、それぞれ電話番号データ、表示指示信号及び交信指示信号を出力する。
【００２２】
基板５２０は、入力スイッチ５０３、入力スイッチ７０３及び入力スイッチ２０３並びに制御部８００と電気的に接続され、入力スイッチ５０３から出力された電話番号データを制御部８００へ出力する。
【００２３】
以上により、従来の携帯型電話装置１００は、電源スイッチ９をオンし、第１の押圧部５により電話番号を入力する操作を行うか、若しくは、第２の押圧部７を押圧し記憶部１１に記憶されている電話番号データの中から希望する電話番号データを表示部６に表示させ、第３の押圧部２０を押圧するか、又は、他の電話装置又は端末装置から交信希望データの電波が基地局から電波送受信部２へ送信されることにより、基地局を介して、他の電話装置又は端末装置と音声データの交信をすることができる。
【００２４】
携帯型電話装置１００により、他の電話装置又は端末装置へ音声データの交信を行う場合は、他の電話装置や端末装置に予め割り当てられた複数桁の電話番号データを基地局へ送信する。携帯型電話装置１００を頻繁に使用する使用者は、どのボタン５０１が何の番号に割り当てられているかをボタン５０１の配置場所により記憶している場合が多い。このような使用者は、携帯型電話装置１００のボタン５０１や表示部６を目視せずとも、ボタン５０１を指先で押圧することによって、所望する複数桁の番号を入力することができる。しかしながら、携帯型電話装置１００は、ボタン５０１を所定の位置まで下方へ押圧しないと入力スイッチ５０３が電話番号データを出力しないため、使用者が表示部６を目視しないでボタン５０１を所定の位置まで押圧しなかった場合、ボタン５０１を押圧して番号を入力しても入力スイッチ５０３が電話番号データを出力しないことを確認できない場合がある。
【００２５】
このため、例えば、使用者が表示部６を目視しないでボタン５０１を押圧し、１０桁の番号を入力しようとする場合、１回のボタン５０１が正しく押圧されずに９桁の番号を入力してしまうことがある。このとき、携帯型電話装置１００は、その９桁の番号を電話番号データとして基地局へ送信してしまい、希望する電話装置との音声データの交信ができなくなったり、希望しない電話装置と交信をしてしまう虞がある。
【００２６】
また、ボタン２０１を押圧して記憶部１１の各記憶領域に記憶されている電話番号データの中から希望する電話番号データを表示部６に表示させ、希望する電話番号データが表示されたところで第３の押圧部２０を押圧して交信を開始する方法の場合は、表示部６を目視しなければ希望する電話番号データを認識することができない。
【００２７】
従来の携帯型電話装置１００には、表示部６やボタンを目視しなくてもそれぞれのボタンが正しく押圧できたか否かを使用者が認識できるようにするために、それぞれのボタンが押圧されて入力スイッチが信号を出力した場合に音を発生させる機能を備えるものがある。この機能を備える携帯型電話装置は、それぞれのボタンが正しく入力できたか否かを音により認識することができる。しかしながら、周囲から騒音が発生している場所でこの携帯型電話装置を使用する場合、ボタン５０１を押圧しても、ボタンが正しく入力できたことを示す音を使用者が認識できなくなる虞がある。
【００２８】
また、従来の携帯型電話装置１００には、例えば、他の電話装置から交信希望データを受信した場合に携帯型電話装置１００の筐体３０を振動させて使用者に他の電話装置から交信希望があったことを認識させる振動発生手段を備えるものが知られている（例えば、特許文献１参照。）。この携帯電話装置によれば、例えば、ボタン５０１を押圧して入力スイッチ５０３から電話番号データが出力された毎に、前記振動発生手段が振動して筐体３０に振動を発生させる構成とすれば、表示部６を目視しないでボタン５０１を押圧した場合でも、正確にそれぞれのボタン５０１が押圧できたか否かを筐体３０の振動により認識することができる。また、ボタン７０１を押圧して記憶部１１に記憶されている電話番号データを選択する場合にも、予め、何番目の記憶領域にどの電話番号データが記憶されているかを記憶している場合は、表示部６を目視せずとも、表示部６が表示する電話番号データが変更される毎に筐体３０が振動する構成とすれば、その振動回数によって希望する電話番号データが表示部６に表示されたことを認識することができる。
【００２９】
【特許文献１】特開平１０−２５７１３５号公報（第１図）
【発明の開示】
【発明が解決しようとする課題】
【００３０】
しかしながら、特許文献１に開示されている携帯型電話装置では、ボタン５０１を押圧する毎に筐体３０を把持する使用者の掌に振動が伝達することとなり、例えば、ボタン５０１によって１０桁の番号を入力しようとする場合は、当該筐体３０を把持する掌に１０回の振動が伝達してしまい、掌が痺れてしまう虞がある。また、ボタン７０１を指で下方に断続的に押圧している途中で筐体３０が振動すると、この振動によってボタン７０１が上下に振動し、ボタン７０１を何度も押圧してしまい、入力スイッチ７０３から表示指示信号が何度も出力されてしまう虞がある。
【００３１】
また、筐体３０を振動させることにより、ボス４００を介して筐体３０に固定されている基板５２０も振動する。基板５２０が振動することによって、基板５２０に固定されている入力スイッチと基板５２０との電気的な接続が断線したり、入力スイッチが基板５２０から脱落してしまうことがある。基板５２０と入力スイッチと電気的な接続が断線すると、ボタンを押圧しても電話番号データを入力することができなくなり、装置が故障してしまう。
【００３２】
また、それぞれのボタンが近接した位置に配置されている場合、表示部６を目視せずに特定のボタンを押圧しようとしたとき、特定のボタンを押圧した指が隣接したボタンに触れてしまうことがある。使用者は、特定のボタンを押圧したつもりでも、隣接したボタンに指が触れたことによって、特定のボタンのみが正確に入力できたのか認識できないことがある。
【００３３】
本発明は、電波を送受信することによってデータを交信する携帯型電話装置において、簡単な構成で携帯電話装置を目視しなくても希望する電話番号データが入力できたか否かを正確に認識することができ、電話番号データを何度も出力してしまったり、予め記憶させておいた電話番号データを正確に選択することができなくなることを防止することができる携帯型電話装置を提供することを目的とする。
【００３４】
また、本発明は、携帯型電話装置において、装置の故障を防止し、隣接したボタンに触れてしまっても、どのボタンが正しく入力できたのかを正確に認識することができる携帯型電話装置を提供することを目的とする。
【課題を解決するための手段】
【００３５】
本願の請求項１記載の発明は、電波を送受信することによってデータを交信する携帯型電話装置において、箱形を成し上方に開口する開口部を形成する筐体と、前記筐体に設置されデータを電波により送受信する電波送受信手段と、前記筐体に設置され上面が前記開口部から突出し下面に下方へ突出するアームを備え押圧することにより下方へ移動する入力キーと、前記入力キーの下方に固定され前記入力キーの押圧により指示信号を出力する信号出力手段と、前記信号出力手段を固定する第１の基板と、前記入力キーが下方へ移動することにより前記アームの下端が当接する第２の基板と、前記信号出力手段が出力する信号に応じて前記電波送受信手段を制御する制御手段と、前記信号出力手段から前記指示信号が出力されたとき前記入力キーが押圧される方向に対し垂直な方向に前記第２の基板を振動させる振動発生手段とを備えることを特徴とする。
【００３６】
本願の請求項２記載の発明は、請求項１記載の携帯型電話装置において、予め複数の電話番号データを記憶する記憶部と、電話番号データを表示する表示部とを備え、前記制御部は、前記信号出力手段から指示信号が出力された場合前記記憶部に記憶された複数の電話番号データを順に変更して前記表示部に表示するよう制御し、前記振動発生手段は、前記制御手段が前記表示部に表示させる電話番号データを変更する毎に前記入力キーが押圧される方向に対し垂直な方向に前記第２の基板を振動させることを特徴とする。
【００３７】
本願の請求項３記載の発明は、電波を送受信することによってデータを交信する携帯型電話装置において、箱形を成し上方に開口する開口部を形成する筐体と、前記筐体に設置されデータを電波により送受信する電波送受信手段と、前記筐体に設置され上面が前記開口部から突出し下面に下方へ突出するアームを備え押圧することにより下方へ移動する入力キーと、前記入力キーの下方に固定され前記入力キーの押圧により予め割り当てられた番号を示す番号信号を出力する複数の信号出力手段と、前記信号出力手段を固定する第１の基板と、前記入力キーが下方へ移動することにより前記アームの下端が当接する第２の基板と、前記信号出力手段が出力する番号信号に応じて前記電波送受信手段を制御する制御手段と、前記信号出力手段から番号信号が出力されたとき前記入力キーが押圧される方向に対し垂直な方向に前記第２の基板を振動させる第１の振動発生手段と、送信する電話番号の桁数を設定する設定部と、交信の開始を指示する交信指示信号を出力する交信指示キーと、前記筐体の背面に設置されるパネルと、前記入力キーが押圧される方向に対し垂直な方向に前記パネルを振動させる第２の振動発生手段とを備え、前記制御手段は、前記信号出力手段から出力された番号信号の桁数を検知し、前記信号出力手段から出力された番号信号の桁数が前記設定部に設定した電話番号の桁数と異なる状態で前記交信指示キーから交信指示信号が出力されたとき前記パネルを振動させるよう前記第２の振動発生手段を制御することを特徴とする。
【発明の効果】
【００３８】
本発明によれば、電波を送受信することによってデータを交信する携帯型電話装置において、簡単な構成で携帯電話装置を目視しなくても希望する電話番号データが入力できたか否かを正確に認識することができ、電話番号データを何度も出力してしまったり、予め記憶させておいた電話番号データを正確に選択することができなくなることを防止することができる携帯型電話装置を提供することができる。
【００３９】
また、本発明によれば、携帯型電話装置において、装置の故障を防止し、隣接したボタンに触れてしまっても、どのボタンが正しく入力できたのかを正確に認識することができる携帯型電話装置を提供することができる。
【００４０】
また、本発明によれば、携帯型電話装置において、電話番号データを正確に入力していないのにも拘らず交信を開始してしまったことを使用者が直ちに認識することができる携帯型電話装置を提供することができる。
【発明を実施するための最良の形態】
【００４１】
以下、本発明の実施の形態を図面に基づいて説明する。
図１は、本発明の一実施例の携帯型電話装置を示すブロック図である。
図２は、本発明の一実施例の携帯型電話装置を示す斜視図である。
【００４２】
携帯型電話装置１は、電波送受信部２、再生部３、入力部４、第１の押圧部５、表示部６、第２の押圧部７、制御部８、電源スイッチ９、電源部１０、記憶部１１、第３の押圧部２０、第１の振動発生部６０、第２の振動発生部６５及び設定部６６を備える。
【００４３】
図２に示すように、筐体３０は、箱型を成し、上面に開口する孔３０１が形成されている。
再生部３、入力部４、表示部６及び電波送受信部２は、筐体３０の表面に設置され、記憶部７、制御部８、電源部１０、第１の振動発生部６０、第２の振動発生部６５及び設定部６６は筐体３０の内部に設置される。
【００４４】
設定部６６は、後述する基地局へ送信する電話番号データの桁数を設定する。設定部６６は、例えば、基地局へ送信する電話番号データの桁数を１０桁に設定すると、制御部８へ１０桁を示す設定信号を出力する。
【００４５】
第１の押圧部５は、複数の電話番号ボタンから成り、このボタンを押圧することにより、電話番号データを出力する。表示部６は、第１の押圧部５により入力した電話番号データを表示する。
【００４６】
記憶部１１は、メモリから成り、複数の記憶領域を備えており、例えば、第１の記憶領域〜第ｎの記憶領域を備えている。それぞれの記憶領域には、予め、電話番号データが記憶されている。
【００４７】
第２の押圧部７は、１つのボタンから成り、このボタンを押圧することにより、記憶部１１に記憶されている電話番号データを表示部６が表示するよう指示する表示指示信号を出力する。
【００４８】
制御部８は、第２の押圧部７から表示指示信号が出力されると、記憶部１１に記憶されている電話番号データの中から第１の記憶領域に記憶されている電話番号データを選択し、選択した電話番号データを表示部６が表示するよう制御する。
【００４９】
制御部８は、第２の押圧部７から表示指示信号が３秒以上出力されると、選択する電話番号データを記憶部１１の第２の記憶領域に記憶されている電話番号データに変更する。更に、第２の押圧部７から表示指示信号が出力されている間、制御部８は、１秒毎に記憶部１１の第３の記憶領域に記憶されている電話番号データ、第４の記憶領域に記憶されている電話番号データへと選択する電話番号データを変更する。表示部６は、制御部８の変更に応じて表示する電話番号データを変更する。
【００５０】
第３の押圧部２０は、１つのボタンから成り、このボタンを押圧することにより、図示しない基地局と交信を行うよう指示する交信指示信号を出力する。制御部８は、第３の押圧部２０から交信指示信号が出力されると、表示部６が表示する電話番号データを電波送受信部２が基地局へ送信するよう制御する。
【００５１】
第１の振動発生部６０は、第１の押圧部５から電話番号データが出力されたとき、第２の押圧部７から表示指示信号が出力されたとき、及び制御部８が記憶部１１に記憶されている電話番号データの中から選択する電話番号データを変更するときに０．５秒間振動を発生する。第１の振動発生部６０が発生させる振動については後述する。
【００５２】
制御部８は、設定部６６から１０桁を示す設定信号が出力されている場合、第１の押圧部５から出力された電話番号データが９桁以下のときに第３の押圧部２０から交信指示信号が出力されると、第２の振動発生部６５へ振動を発生させるよう制御する。また、制御部８は、設定部６６から１０桁を示す設定信号が出力されている場合、第１の押圧部５から出力された電話番号データが１１桁以上のときに第３の押圧部２０から交信指示信号が出力されると、第２の振動発生部６５へ振動を発生させるよう制御する。
【００５３】
第２の振動発生部６５は、制御部８の制御により、１秒間振動を発生する。第２の振動発生部６５が発生させる振動については後述する。
【００５４】
電波送受信部２は、制御部８の制御により、電話番号データを電波に変換し、基地局へ送信する。
【００５５】
基地局は、電波送受信部２からの電波を受信した後、他の電話装置又は端末装置との交信が可能となると、交信が可能となったことを示すデータ（交信開始データ）を電波に変換し、電波送受信部２へ送信する。また、基地局は、他の電話装置又は端末装置から携帯型電話装置１との交信を希望する信号が入力されると、携帯型電話装置１に対し交信を希望する交信希望データを電波に変換し、電波送受信部２へ送信する。
【００５６】
電波送受信部２は、基地局から交信開始データ及び交信希望データの電波を受信すると、交信が開始されたことを示す信号（交信開始信号）を制御部８へ出力する。また、電波送受信部２は、交信が開始されたことを示す電波を基地局へ送信する。
【００５７】
基地局は、電波送受信部２からの交信が開始されたことを示す電波により、他の電話装置に対して、音声データを送受信する。基地局は、他の電話装置又は端末装置からの音声データを電波に変換し、電波送受信部２へ送信する。
【００５８】
電波送受信部２は、基地局から送信された電波を音声データに変換する。また、電波送受信部２は、後述する入力部４からの音声データを電波に変換し、基地局へ送信する。
【００５９】
再生部３は、制御部８を介して入力した電波送受信部２からの交信開始データ及び交信希望データにより、電波送受信部２が受信した音声データを音声信号に変換し、変換した音声信号を再生する。入力部４は、外部から音声信号が入力されると、入力された音声信号を音声データに変換し、電波送受信部２へ出力する。電波送受信部２は、入力部４からの音声データを電波に変換し、基地局へ送信する。
【００６０】
表示部６は、第１の押圧部５により入力した電話番号データを表示する。また、表示部６は、基地局からの交信希望データに基づいて、他の電話装置又は端末装置が交信を希望していることを表示する。
【００６１】
電源部１０は、乾電池又はリチウム電池から成り、電波送受信部２、再生部３、入力部４、第１の押圧部５、表示部６、第２の押圧部７、記憶部１１、第３の押圧部２０および制御部８へ電力を供給する。
電源スイッチ９は、切替えスイッチから成り、切替え操作により、電源部１０が供給する電源のオン・オフを切替える。
【００６２】
図３は、本実施例の携帯型電話装置の断面図である。
携帯型電話装置１は、筐体３０、ボス４０、第１の基板５２、ボス５４、保持部７０、保持部７５、第２の基板９０、パネル９５及び導電ケーブル８０１を備える。
【００６３】
図３に示すように、筐体３０は、背面に凹部３０２が形成されている。凹部３０２は上下に貫通する孔３０３を備え、当該孔３０３の前方及び後方にそれぞれ上下に貫通する孔３０４を備える。
【００６４】
第１の押圧部５は、複数のボタン５０１、シャフト５０２及び入力スイッチ５０３を備える。第２の押圧部７は、ボタン７０１、シャフト７０２及び入力スイッチ７０３を備える。第３の押圧部２０は、ボタン２０１、シャフト２０２及び入力スイッチ２０３を備える。
【００６５】
ボタン５０１、ボタン７０１及びボタン２０１は、ゴム部材または合成樹脂部材から成り、上面に曲面を形成する。ボタン５０１、ボタン７０１及びボタン２０１は、それぞれ筐体３０の孔３０１より上方に突出している。ボタン５０１、ボタン７０１及びボタン２０１は、下面の略中央にそれぞれシャフト孔５０４、シャフト孔７０４及びシャフト孔２０４を備える。ボタン５０１、ボタン７０１及びボタン２０１は、それぞれ下面の一端に下方へ突出するアーム５０５、アーム７０５及びアーム２０５を備える。アーム５０５、アーム７０５及びアーム２０５は、ゴム部材または合成樹脂部材から成り、下端に曲面を形成する。
【００６６】
シャフト５０２、シャフト７０２及びボタン２０１は、円筒形を成し、それぞれ上面がシャフト孔５０４、シャフト孔７０４及びシャフト孔２０４に挿入されている。入力スイッチ５０３、入力スイッチ７０３及び入力スイッチ２０３は、それぞれシャフト５０２、シャフト７０２及びシャフト２０２の下面に固定されている。
【００６７】
第１の基板５２は、薄い平板から成り、入力スイッチ５０３、入力スイッチ７０３及び入力スイッチ２０３を固定している。第１の基板５２は、上下に貫通する複数の孔５３が形成されている。孔５３は、アーム５０５、アーム７０５及びアーム２０５が貫通する位置に配設される。ボス５４は、円筒型を成し、筐体３０に固着されている。ボス５４は、図示しないネジにより第１の基板５２を固定する。
【００６８】
第２の基板９０は、薄い平板から成り、上下に貫通する孔９１が形成されている。ボス４０は、円筒型を成し、筐体３０の底面に固着されている。ボス４０は、上面の略中央に上方へ突出する凸部４１を備える。孔９１の内径は、凸部４１の外径より大きい。第２の基板９０は、孔９１が凸部４１に挿入された状態で保持される。保持部７０は円筒形を成し、孔９１が凸部４１に挿入された状態から第２の基板９０が上方へ外れないよう凸部４１の上面に固定される。
【００６９】
第２の基板９０の上下方向の厚さは、ボス４０の上面から保持部７０の裏面までの距離より小さい。第２の基板９０は、孔９１の内径が凸部４１の外径より大きいことにより、水平方向に自在にスライドする。第１の基板５２の孔５３の内壁からアーム５０５、アーム７０５及びアーム２０５の側面までの距離は、第２の基板９０が水平方向に振動する際の最大振幅の１／２より大きい。
【００７０】
シャフト５０２、シャフト７０２及びシャフト２０２は、それぞれボタン５０１、ボタン７０１及びボタン２０１が下方に押されることにより、下方に移動し、押圧が解除されると押圧前の位置へ移動する。入力スイッチ５０３、入力スイッチ７０３及び入力スイッチ２０３は、ボタンが下方に押圧され、シャフトが予め定めた位置（所定位置）まで下方に移動したことを検知することによって、それぞれ電話番号データ、表示指示信号及び交信指示信号を出力する。
【００７１】
第１の基板５２は、ボタン５０１、ボタン７０１及びボタン２０１が下方へ移動し、それぞれのシャフトが所定位置より僅かに上方となる位置のときに、それぞれのアームの下端が第１の基板５２の表面に当接する位置に配設する。
【００７２】
第１の基板５２は、入力スイッチ５０３、入力スイッチ７０３及び入力スイッチ２０３と電気的に接続されている。導電ケーブル８０１は、基板５２と制御部８を電気的に接続している。
【００７３】
第１の振動発生部６０は、筐体３０の内側面に固定され、水平方向へ一定周期及び一定振幅で小刻みに移動することで振動する腕部６０１を備える。腕部６０１の一端は第２の基板９０に固定される。第１の振動発生部６０は、入力スイッチ５０３が電話番号データを出力すると、腕部６０１を振動させる。第２の基板９０は、腕部６０１に固定されていることにより、腕部６０１の振動に同期して水平方向へ振動する。
【００７４】
パネル９５は、薄い平板から成り、上方へ突出する凸部９５１を備える。凹部３０２の孔３０４の内径は、凸部９５１の外径より大きい。パネル９５は、凸部９５１が孔３０４に挿入した状態で保持される。保持部７５は円筒形を成し、凸部９５１が孔３０４に挿入した状態からパネル９５が下方へ外れないよう凸部９５１の上面に固定される。
【００７５】
凹部３０２の上下方向の厚さは、パネル９５の上面から保持部７５の裏面までの距離より小さい。パネル９５は、凸部９５１の外径が孔３０４の内径より小さいことから、水平方向に自在にスライドする。
【００７６】
第２の振動発生部６５は、筐体３０の内側面に固定され、水平方向へ一定周期及び一定振幅で小刻みに移動することで振動する腕部６５１を備える。腕部６５１の一端は、凹部３０２の孔３０３を介してパネル９５に固定される。第２の振動発生部６５は、制御部８の制御により、腕部６５１を振動させる。パネル９５は、腕部６５１に固定されていることにより、腕部６５１の振動に同期して水平方向へ振動する。
【００７７】
図４は、本実施例のボタン５０１が下方へ押圧された状態を説明する断面図である。
ボタン５０１は、下方へ押圧されることにより、シャフト５０２と共に下方へ移動し、アーム５０５の下端が第２の基板９０の上面に当接する。この状態から更にボタン５０１が下方へ押圧されると、アーム５０５が下方への押圧力により撓み、ボタン５０１及びシャフト５０２は、更に下方へ移動し、所定位置となる。入力スイッチ５０３は、所定位置まで下方に移動したことを検知することによって、それぞれ電話番号データを出力する。
【００７８】
第１の振動発生部６０は、入力スイッチ５０３が電話番号データを出力すると、腕部６０１を振動させる。第２の基板９０は、腕部６０１に固定されていることにより、腕部６０１の振動に同期して水平方向へ振動する。このとき、第２の基板９０の上面に当接しているアーム５０５の下端も水平方向に振動する。ボタン５０１の上面は、アーム５０５の下端が水平方向へ振動することにより、シャフト５０２が挿入されているシャフト孔５０４を軸として水平方向に振動する。
【００７９】
図５は、設定部６６から１０桁を示す設定信号が出力されている場合、第１の押圧部５から出力された電話番号データが９桁以下又は１１桁以上のときに第３の押圧部２０が下方へ押圧された状態を説明する断面図である。
【００８０】
ボタン２０１は、下方へ押圧されることにより、シャフト２０２と共に下方へ移動し、所定位置となる。入力スイッチ２０３は、所定位置まで下方に移動したことを検知することによって、交信指示信号を出力する。制御部８は、設定部６６から１０桁を示す設定信号が出力されている場合、第１の押圧部５から出力された電話番号データが９桁以下又は１１桁以上のときに第３の押圧部２０から交信指示信号が出力されたことから、第２の振動発生部６５へ振動を発生させるよう制御する。
【００８１】
第２の振動発生部６５は、制御部８の制御により、腕部６５１を振動させる。パネル９５は、腕部６５１の振動に同期して水平方向へ振動する。
【００８２】
以上により、携帯型電話装置１において、ボタン５０１、ボタン７０１及びボタン２０１が下方へ押圧され、それぞれの入力スイッチから電話番号データ、表示指示信号及び交信指示信号が出力されるとき及び制御部８が記憶部１１に記憶されている電話番号データの中から選択する電話番号データを変更するときに、第１の振動発生部６０は水平方向へ振動を発生する。第２の基板９０は、第１の振動発生部６０の腕部６０１の水平方向の振動により左右に振動する。よって、このとき、下方へ押圧されたボタン５０１、ボタン７０１及びボタン２０１の上面も第２の基板９０に当接したそれぞれのアームを介して水平方向に振動する。
【００８３】
携帯型電話装置１の使用者は、表示部６を目視しないでボタン５０１を指で押圧して希望する複数桁の番号を入力する場合、ボタン５０１から電話番号データが出力されたことをボタン５０１の振動によって認識することができる。このことにより、例えば、それぞれのボタン５０１を１０回押圧して１０桁の番号を入力しようとする場合、ボタン５０１を押圧する毎に入力スイッチ５０３から電話番号データが出力されたことを振動により認識しながら１０桁の番号を入力することができるので、電話番号データを正確に入力することができる。
【００８４】
また、携帯型電話装置１は、入力スイッチ７０３から表示指示信号を断続的に出力するためにボタン７０１を指で下方に断続的に押圧しているとき、ボタン７０１の上面が上下方向に振動せずに水平方向に振動するので、ボタン７０１を指で下方に断続的に押圧している途中でボタン７０１が上下に振動し、ボタン７０１を何度も押圧してしまうことがない。
【００８５】
また、携帯型電話装置１は、ボタン５０１、ボタン７０１及びボタン２０１を押圧して、それぞれの入力スイッチから電話番号データ、表示指示信号及び交信指示信号が出力される場合及びボタン７０１を断続的に押圧して制御部８が記憶部１１に記憶されている電話番号データの中から選択する電話番号データを変更する場合に、それぞれのボタンが振動するので、周囲から騒音が発生している場所でこの携帯型電話装置１を使用する場合でも、それぞれの入力スイッチから電話番号データ、表示指示信号及び交信指示信号が出力される場合及びボタン７０１を断続的に押圧して制御部８が選択する電話番号データを変更したことをそれぞれのボタンの振動により正確に認識することができる。
【００８６】
また、携帯型電話装置１は、入力スイッチから電話番号データが出力されたときに筐体３０は振動しないで押圧したボタンのみが振動するので、筐体３０を把持する掌が痺れてしまうことがない。
【００８７】
また、携帯型電話装置１は、ボタンを押圧した場合、入力スイッチを固定した第１の基板５２は振動しないでボタンのみが振動するので、第１の基板５２に固定されている入力スイッチと第１の基板５２との電気的な接続が断線したり、入力スイッチが第１の基板５２から脱落してしまい、装置が故障してしまうことを防止することができる。
【００８８】
また、例えば、図４に示す、ボタン５０１とボタン７０１が近接した位置に配置されている場合、ボタン５０１を指で押圧したとき、ボタン５０１に隣接したボタン７０１に指が触れてしまっても、正しく入力することができたボタン５０１は、アーム５０５が第２の基板９０に当接することで振動し、正しく入力されていないボタン７０１は、アーム７０５が第２の基板９０に当接しないことから振動しない。使用者は、ボタン５０１のみが振動しボタン７０１が振動しないことにより、ボタン５０１が正しく入力され、ボタン７０１が正しく入力されていないことを認識することができる。
【００８９】
このことにより、携帯型電話装置１は、それぞれのボタンが近接した位置に配置されている場合、表示部６を目視せずに特定のボタンを押圧しようとしたとき、特定のボタンを押圧した指が隣接したボタンに触れてしまっても、どのボタンが正しく入力できたのかを正確に認識することができる。
【００９０】
また、携帯型電話装置１は、設定部６６によって予め送信する電話番号データの桁数を設定しておき、設定した桁数未満又は設定した桁数を超える電話番号データが第１のボタン５から出力された状態で第３の押圧部２０が下方へ押圧され交信指示信号が出力された場合、筐体３０の背面に設置されたパネル９５が水平方向へ振動する。
【００９１】
このことにより、携帯型電話装置１の使用者が、１０桁の電話番号データを送信しようとする場合、予め、設定部２０の設定によって送信する電話番号データの桁数を１０桁に設定しておくことにより、例えば、使用者が９桁の電話番号データしか入力されていない状態でボタン２０１を押圧してしまったとき、携帯型電話装置１の背面に配設されたパネル９５が振動する。携帯型電話装置１を把持した使用者は、筐体３０の背面のパネル９５に当接した指先または手の平などにより、このパネル９５の振動を認識する。したがって、使用者は、希望した電話番号が正確に押圧できていないのにも拘らず交信を開始してしまったことをこのパネル９５の振動によって即座に認識することができるので、使用者は直ちに交信を中断する操作等を行うことが可能になる。これにより、例えば、使用者が１０桁の電話番号で交信したいと希望していたのにも拘わらず、ボタン５０１を押圧した１０回の内の１回のボタン５０１が正しく入力されずに入力スイッチ５０３から９桁の電話番号データしか出力されていない状態でボタン２０１を押圧し、基地局へ９桁の間違った電話番号データを送信してしまい、希望する電話装置との音声データの交信ができなかったり、希望しない電話装置と交信をしてしまうこと防止することができる。
【図面の簡単な説明】
【００９２】
【図１】本発明の一実施例の携帯型電話装置を示すブロック図。
【図２】本発明の一実施例の携帯型電話装置を示す斜視図。
【図３】本発明の一実施例の携帯型電話装置の断面図。
【図４】本実施例のボタン５０１が下方へ押圧された状態を説明する断面図。
【図５】設定部６６から１０桁を示す設定信号が出力されている場合、第１の押圧部５から出力された電話番号データが９桁以下又は１１桁以上のときに第３の押圧部２０が下方へ押圧された状態を説明する断面図。
【図６】従来の携帯型電話装置を示すブロック図。
【図７】従来の携帯型電話装置の断面図。
【符号の説明】
【００９３】
１  携帯型電話装置、２  電波送受信部、３  再生部、４  入力部、
５  第１のボタン５０１  ボタン、５０２  シャフト、５０３  入力スイッチ、
５０４  シャフト孔、５０５  アーム、６  表示部、
７  第２の押圧部、７０１  ボタン、７０２  シャフト、７０３  入力スイッチ、
７０４  シャフト孔、７０５  アーム、
８  制御部、９  電源スイッチ、１０  電源部、１１  記憶部、
２０  第３の押圧部、２０１  ボタン、２０２  シャフト、２０３  入力スイッチ、
２０４  シャフト孔、２０５  アーム、
３０  筐体、３０１  孔、３０２  凹部、３０３  孔、３０４  孔、
４０  ボス、４１  凸部、５２  第１の基板、５３  孔、
５４  ボス、６０  第１の振動発生部６０１  腕部、７０  保持部、
６５  第２の振動発生部、６６  設定部、６５１  腕部、７５  保持部、
８０１  導電ケーブル、９０  第２の基板、９１  孔、９５  パネル、９５１  凸部、
１００  携帯型電話装置、４００  ボス、５２０  基板、８００  制御部
【図１】
2005210678.tif 000003
【図２】
2005210678.tif 000004
【図３】
2005210678.tif 000005
【図４】
2005210678.tif 000006
【図５】
2005210678.tif 000007
【図６】
2005210678.tif 000008
【図７】
2005210678.tif 000009